(57)【要約】      （修正有）【課題】衣服の使用中に使用者に不快感を生じさせうるゴムの折返し部分を形成することなくウエスト周囲長を調整することができるとともに、このゴムが使用者の身体に直接触れることがないウエスト周囲長調整具付衣服を提供する。【解決手段】ズボン１０のウエスト部分にはゴム２０を収納可能なゴム通し部１１が配設されている。ゴム通し部１１の表面側には２つのゴム引出穴１３，１４が配設されている。所定間隔で複数個の係止穴２０ａが配設されているゴム２０の両端部には、係止穴２０ａに係合可能な係合具３１，３２が配設されている。係合具３１はゴム２０の表面側に配設されており、係合具３２はゴム２０の裏面側に配設されている。【選択図】図４
0003109780.tif 000002
【実用新案登録請求の範囲】
【請求項１】
ウエスト部分にゴムが収納可能なゴム通し部が配設されている衣服であって、
前記ゴム通し部の表面側に前記ゴムが引き出し可能なゴム引出穴が配設され、
前記ゴム通し部に収納されている両端部を有する１本の前記ゴムには、所定間隔をあけ
て複数個の係止穴が形成され、
前記１本のゴムの一端の表面側には前記係止穴に係合可能な表面側係合具が配設され、
当該１本のゴムの他端の裏面側には前記係止穴に係合可能な裏面側係合具が配設されてい
ることを特徴とするウエスト周囲長調整具付衣服。
【請求項２】
前記両端部を有する１本のゴムの一端の表面側に配設された表面側係合具と当該表面側
係合具に隣接する前記係止穴との距離は前記所定間隔であり、前記他端の裏面側に配設さ
れた裏面側係合具と当該裏面側係合具に隣接する前記係止穴との距離は前記所定間隔であ
ることを特徴とする請求項１に記載のウエスト周囲長調整具付衣服。
【請求項３】
前記表面側係合具と前記裏面側係合具とは共に、前記ゴムの端部に縫い付け固定された
ボタンによって構成されていることを特徴とする請求項１または２に記載のウエスト周囲
長調整付衣服。
【請求項４】
前記ゴム引出穴は、前記ゴム通し部の表面側に、あらかじめ定められた距離を隔てて２
個配設されていることを特徴とする請求項１ないし３のいずれかの項に記載のウエスト周
囲長調整具付衣服。
【請求項５】
前記衣服はズボンであることを特徴とする請求項１ないし４のいずれかの項に記載のウ
エスト周囲長調整具付衣服。
【請求項６】
前記衣服はマタニティ用のワンピースドレスであることを特徴とする請求項１ないし４
のいずれかの項に記載のウエスト周囲長調整具付衣服。
【考案の詳細な説明】
【技術分野】
【０００１】
本考案は、ウエスト部分に配設されたゴムの長さを使用者の身体に合わせて自由に調整
することができるズボン，パンツ，マタニティ用のワンピースドレス等のウエスト周囲長
調整具付衣服に関するものである。
【背景技術】
【０００２】
従来、使用者のウエストサイズに応じて、ウエスト部分に配設されたゴムの長さを調節
できるズボンとして図８に示すズボン７０が提案されている。（特開２００４−１６２２
０２号公報参照）。
【０００３】
このズボン７０のウエスト部分には、環状のゴム８０を収納するゴム通し部７１が配設
されており、ゴム通し部７１の裏面側には、ゴム引出穴７２Ａが配設されている。７３は
、ゴム引出穴７２Ａから引き出されたゴム８０が使用者の邪魔にならないように、この引
き出されたゴム８０をウエスト回りに保持するためのゴム押さえループである。
【０００４】
環状に形成されたゴム８０には、図９（ａ）に示すように所定間隔で複数個のボタン穴
８０ａが配設されている。図９（ｂ）は、ボタン穴８０ａに係合するボタン９０の構成を
示したものであり、このボタン９０はボタン穴８０ａを貫通する中芯部９０ｂで連結され
た２枚の挾持板部９０ａを有している。
【０００５】
使用者は、図１０に示すように、所望のウエスト周囲長になるまでゴム通し部７１の裏
面側のゴム引出穴７２Ａからゴム８０を引き出して、所望のウエスト周囲長の位置で、ゴ
ム引出穴７２Ａ付近の相対向している２つのボタン穴８０ａにボタン９０を係合させてそ
のウエスト周囲長を固定する。以上のようにしてウエスト周囲長を調整した後、使用者は
、ズボン７０の裏面側に突出している２つ折り状にされたゴム８０が邪魔にならないよう
に、この突出している部分を図８に示すゴム押さえループ７３に通してウエスト長の調整
作業を終了する。
【０００６】
以上のように構成された従来例においては、このズボン７０がパジャマのズボンである
ような場合には、使用者の通常の就寝姿勢がうつ伏せ状態であるとき、ズボン７０の裏面
側に露出している２つ折りにされ厚みの増しているゴム８０やボタン９０が使用者の身体
に圧接してしまうために、使用者に不快感を生じさせてしまう。
【０００７】
そこで、この従来例においては、図１１に示したように、ゴム通し部７１の裏面側の異
なる位置に、複数個のゴム引出穴７２Ａ，７２Ｂ，７２Ｃを設け、使用者の通常の就寝姿
勢に応じて、ウエスト周囲長調整後のゴム８０やボタン９０が露出する位置を選ぶことが
できるように構成されている。
【特許文献１】特開２００４−１６２２０２号公報
【考案の開示】
【考案が解決しようとする課題】
【０００８】
しかしながら、以上説明した従来例においては、衣服の裏面側に、ウエスト周囲長調整
後の２つ折り状態にされ厚みの増したゴムやボタンが露出する構成となっているために、
使用者が寝返りをうったとき等にこのゴムやボタンが使用者の身体に圧接して使用者に不
快感を生じさせてしまうという問題があった。
【課題を解決するための手段】
【０００９】
以上の問題点を解決するために本考案は、ウエスト部分にゴムが収納可能なゴム通し部
が配設されている衣服であって、前記ゴム通し部の表面側に前記ゴムが引き出し可能なゴ
ム引出穴が配設され、前記ゴム通し部に収納されている両端部を有する１本の前記ゴムに
は、所定間隔をあけて複数個の係止穴が形成され、前記１本のゴムの一端の表面側には前
記係止穴に係合可能な表面側係合具が配設され、当該１本のゴムの他端の裏面側には前記
係止穴に係合可能な裏面側係合具が配設されていることを特徴とするものである。
【００１０】
ここで前記両端部を有する１本のゴムの一端の表面側に配設された表面側係合具と当該
表面側係合具に隣接する前記係止穴との距離は前記所定間隔であり、前記他端の裏面側に
配設された裏面側係合具と当該裏面側係合具に隣接する前記係止穴との距離は前記所定間
隔であってもよい。また、前記表面側係合具と前記裏面側係合具とは共に、前記ゴムの端
部に縫い付け固定されたボタンによってに構成してもよく、さらに、前記ゴム引出穴は、
前記ゴム通し部の表面側に、あらかじめ定められた距離を隔てて２個配設してもよい。
【００１１】
前記衣服はズボンであってもよいし、前記衣服はマタニティ用のワンピースドレスであ
ってもよい。
【考案の効果】
【００１２】
本考案によれば、衣服の使用中に使用者に不快感を生じさせうるゴムの折返し部分を形
成することなくウエスト周囲長を調整することができるとともに、このゴムが使用者の身
体に直接触れることがないウエスト周囲長調整具付衣服を提供することができる。
【考案を実施するための最良の形態】
【００１３】
以下、図面を用いて本考案の実施例について説明する。
【実施例１】
【００１４】
図１は、本考案の実施例１に係るズボン１０のウエスト部の構成を示した斜視図であり
、図１（ａ）はウエスト周囲長調整前の状態を示したものであり、図１（ｂ）はウエスト
周囲長調整中の状態を示したものである。
【００１５】
図１（ａ），（ｂ）において、ズボン１０のウエスト部分には、ゴム２０の収納が可能
なゴム通し部１１が配設されている。このゴム通し部１１の表面側には、ゴム２０を引き
出すゴム引出穴１２が配設されている。
【００１６】
図２（ａ）に示したように、本実施例１に使用されているゴム２０には、従来のこの種
のゴム（図９（ａ）参照）と同様に所定間隔で複数個の係止穴２０ａが配設されている。
本実施例１に使用されているゴム２０と従来のこの種のゴムとの差異は、従来のゴムが環
状に形成されているのに対して、このゴム２０は両端部を有する１本のゴムの形態に形成
されているところである。
【００１７】
このゴム２０の両端部には、それぞれゴム２０の係止穴２０ａに係合可能な係合具３１
，３２が配設されている。ここで、３１は、ゴム２０の一端の表面側に配設される表面側
係合具であり、３２は、ゴム２０の他端の裏面側に配設される裏面側係合具である。本実
施例１においては、この係合具３１，３２は、ゴム２０の端部に縫い付け固定されたボタ
ンによって構成されている。
【００１８】
この係合具３１，３２の取付位置は、図２（ｂ），（ｃ）に示したように、ゴム２０の
両端部を互いに密着するように重ね合わせた状態で、２つの係合具３１，３２のそれぞれ
が、対向する係止穴２０ａに係合することができるような位置に選ばれている。本実施例
１においては、係合具３１とそれに隣接している係止穴２０ａとの距離が係止穴２０ａ同
士の前述した所定間隔となるように係合具３１が取り付けられており、且つ、係合具３２
とそれに隣接している係止穴２０ａとの距離が係止穴２０ａ同士の所定間隔となるように
係合具３２が取り付けられている。
【００１９】
従って、図２（ｂ），（ｃ）に示したように、どのようなウエスト周囲長に調整した場
合にも、ゴム２０の両端部は互いに密着して重ね合わされた状態となり、この重ね合わさ
れた部分の厚みが他の部分に比して著しく厚くなるようなことはない。すなわち、本実施
例１においては、ウエスト周囲長調整後に、従来例で厚みを増す原因となっていたゴムの
２つ折り部分が形成されるようなことはない。
【００２０】
以上のように構成された本実施例１においては、図１（ａ）に示したようにゴム２０の
両端部を表面側のゴム引出穴１２から引き出し、使用者の所望のウエスト周囲長にした後
、図１（ｂ）に示したようにゴム２０の両端部を重ね合わせた状態にして、ゴム２０の両
端部に配設されている係合具３１，３２を、それぞれが対向している係止穴２０ａに係合
させる。その後、図３に示したように、ゴム通し部１１を左右に引っ張り、ゴム２０を全
てゴム通し部１１内に収納してウエスト周囲長の調整を終了する。
【００２１】
このように本実施例１においては、下の厚みを増す原因となるゴムの２つ折り部分が形
成されていないので、衣服の使用中に、使用者に不快感を与えるようなことはない。また
、ゴム２０がズボン１０の裏側に露出していないので、ゴム２０が使用者の身体に直接触
れるようなこともない。
【実施例２】
【００２２】
図４は、本考案の実施例２の構成を示した斜視図であり、図４（ａ）はウエスト周囲長
調整前の状態を示し、図４（ｂ）はウエスト周囲長調整後の状態を示したものである。
【００２３】
図４（ａ），（ｂ）において、実施例１の構成を示した図１（ａ），（ｂ）と同一符号
のものは同一のものを示しているのでその説明は省略する。
【００２４】
本実施例２と、先に説明した実施例１との差異は、本実施例２においては、図４（ａ）
，（ｂ）に示したように、あらかじめ定められた距離を隔てて２つのゴム引出穴１３，１
４が、ゴム通し部１１の表面側に配設されているところである。
【００２５】
このように構成されている本実施例２では、図４（ｂ）に示したように通常の使用状態
において、ゴム２０がゴム通し部１１の表面側に常に露出した状態となる。
【００２６】
本実施例２においては、ウエスト周囲長の調整が必要になった場合には、図５（ａ），
（ｂ）に示したように、ズボン１０の表面側に露出しているゴム２０を引っ張り、図５（
ｃ）に示したように係合具３１，３２をそれぞれ係合している係止穴２０ａから外し、ウ
エスト周囲長を調整して、図６（ａ）に示したように、再び係合具３１，３２をそれぞれ
が対向する係止穴２０ａに係合させ、図６（ｂ）に示したようにゴム通し部１１を左右に
引っ張ることによりウエスト周囲長の調整を行なうことができる。
【００２７】
すなわち、本実施例２によれば、ウエスト周囲長の調整を行なう際、実施例１に比して
、より容易にゴム２０をゴム引出穴１３，１４から外に引っ張り出すことができる。
【００２８】
以上説明した、実施例１と実施例２とにおいては、ゴム２０の係止穴２０ａに係合する
表面側係合具３１および裏面側係合具３２は、共に、ゴムの両端部に縫い付け固定されて
いるボタンによって構成されているが、この係合具３１，３２は、例えば、図７（ａ）に
示すような係合部材４０、すなわちゴム２０の係止穴２０ａを貫通する中芯部４１と、そ
の両端に配設された２つの係止部４２，４３とからなる係合部材４０によって構成しても
よい。このように構成された２個の係合部材４０を、係合具３１，３２として用いる場合
には、図７（ｂ），（ｃ）に示したように、ゴム２０の両端部分を重ね合わせた状態にし
て、それぞれの端部に位置する係止穴２０ａと、その係止穴２０ａと対向している係止穴
２０ａとに係合部材４０を係合させることにより、ウエスト周囲長の調整を行なうことが
できる。勿論、ゴム２０の両端部に位置する係止穴２０ａのそれぞれに係合部材４０をあ
らかじめ係合させた状態にしておいて、ウエスト周囲長の調整をするようにしてもよい。
【００２９】
このように実施例１および実施例２においては、ゴム２０の両端部の係合部材４０が対
向している部分の係止穴２０ａと係合する構成となっている。従って、従来例では１ヶ所
であった係合部分が実施例１，２においては２ヶ所となるために、この係合部分の負荷を
従来例に比して半減させることができる。
【００３０】
さらに、以上説明した実施例１，２においては、衣服をズボン１０として説明したが、
このズボン１０とは特に限定されたズボンではなく、パジャマのズボンであってもよいし
、パンツ，スエットパンツ，トランクス等の名称で呼ばれるズボンであってもよい。また
、本考案に係る衣服は上述したズボンに限られるものではなく、ウエスト部分にゴム通し
部が配設されている衣服であればどのような衣服であってもよい。例えばこの衣服は、ス
カートやマタニティ用のワンピースドレスであってもよい。
【図面の簡単な説明】
【００３１】
【図１】本考案の実施例１の構成を示した斜視図である。
【図２】本考案の実施例１の構成の説明図である。
【図３】本考案の実施例１の動作説明図である。
【図４】本考案の実施例２の構成を示した斜視図である。
【図５】本考案の実施例２の動作説明図である。
【図６】本考案の実施例２の動作説明図である。
【図７】本考案に係る係合部材の説明図である。
【図８】従来例の構成を示す斜視図である。
【図９】従来例の構成の説明図である。
【図１０】従来例の構成の説明図である。
【図１１】従来例の構成を示す斜視図である。
【符号の説明】
【００３２】
１０  ズボン
１１  ゴム通し部
１２，１３，１４  ゴム引出穴
２０  ゴム
２０ａ  係止穴
３１  表面側係合具
３２  裏面側係合具
４０  係合部材
４１  中芯部
４２，４３  係止部
【図１】
0003109780.tif 000003
【図２】
0003109780.tif 000004
【図３】
0003109780.tif 000005
【図４】
0003109780.tif 000006
【図５】
0003109780.tif 000007
【図６】
0003109780.tif 000008
【図７】
0003109780.tif 000009
【図８】
0003109780.tif 000010
【図９】
0003109780.tif 000011
【図１０】
0003109780.tif 000012
【図１１】
0003109780.tif 000013